【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】
入力信号の利得を制御する利得制御回路であって、
利得の大きさを決定する利得制御値に基づいて、前記入力信号を利得制御して出力信号を生成する利得制御部と、
前記出力信号の信号レベルと当該信号レベルに応じて値が変化する第１制御値とを対応付けた第１制御値参照テーブルを参照して、前記出力信号の信号レベルから前記第１制御値を決定する第１制御値決定部と、
前記第１制御値決定部によって決定される前記第１制御値に基づいて、前記利得制御値を算出する利得制御値算出部とを備え、
前記第１制御値参照テーブルは、利得制御の目標値の基準レベルの範囲内に含まれる前記出力信号の信号レベルについては、前記利得制御値を変化させない前記第１制御値を対応付け、前記基準レベルより低い信号レベルについては、前記利得制御部における利得を上げるように前記利得制御値を変化させる前記第１制御値を対応付け、前記基準レベルより高い信号レベルについては、前記利得制御部における利得を下げるように前記利得制御値を変化させる第１制御値を対応付けることを特徴とする、利得制御回路。
【請求項２】
前記利得制御値算出部は、前記第１制御値決定部によって決定される第１制御値を積分して利得制御値を算出することを特徴とする、請求項１に記載の利得制御回路。
【請求項３】
前記第１制御値参照テーブルは、前記出力信号の信号レベルと前記基準レベルとの差が大きくなるにつれて、変化率が次第に大きくなるように第１制御値を設定することを特徴とする、請求項１に記載の利得制御回路。
【請求項４】
前記第１制御値参照テーブルにおける前記基準レベルには、複数の信号レベルが対応付けられることを特徴とする、請求項１に記載の利得制御回路。
【請求項５】
前記利得制御値算出部は、
前記第１制御値決定部によって決定された第１制御値を積分する積分部と、
前記積分部によって得られた積分値の大きさを、所定の演算処理によって調整する感度調整部とを含むことを特徴とする、請求項１記載の利得制御回路。
【請求項６】
入力信号の形態に応じて変化するテーブル選択信号を生成するテーブル選択部をさらに備え、
前記第１制御値決定部は、複数の第１制御値参照テーブルを有し、前記テーブル選択信号に基づいて、複数の第１制御値参照テーブルの内、参照すべき第１制御値参照テーブルを選択して第１制御値を決定することを特徴とする、請求項１に記載の利得制御回路。
【請求項７】
前記出力信号の信号レベルの時間変化量を算出して信号レベル変化量を出力する信号レベル変化量算出部と、
前記信号レベル変化量と当該信号レベル変化量の大きさに応じて値が変化する第２制御値とを対応付けた第２制御値参照テーブルを参照して、前記信号レベル変化量から第２制御値を決定する第２制御値決定部とをさらに備え、
前記利得制御値算出部は、前記第１制御値決定部によって決定される第１制御値と、前記第２制御値決定部によって決定される第２制御値とに基づいて、利得制御値を算出することを特徴とする、請求項１に記載の利得制御回路。
【請求項８】
前記第１制御値決定部によって決定される第１制御値と、前記第２制御値決定部によって決定される第２制御値とを合算して制御値を算出する制御値算出部をさらに備え、
前記利得制御値算出部は、前記制御値算出部によって算出された前記制御値を積分して利得制御値を算出することを特徴とする、請求項７に記載の利得制御回路。
【請求項９】
前記第２制御値決定部は、前記信号レベル算出部によって算出される信号レベルが、利得制御の目標値の基準レベルから所定の範囲内にある場合であって、かつ、前記信号レベル変化量算出部によって算出される時間変化量が負である場合、前記第２制御値参照テーブルにかかわらず、第２制御値を０に決定することを特徴とする、請求項７に記載の利得制御回路。
【請求項１０】
入力信号の形態に応じて変化するテーブル選択信号を生成するテーブル選択部をさらに備え、
前記第２制御値決定部は、複数の第２制御値参照テーブルを有し、前記テーブル選択信号に基づいて、複数の第２制御値参照テーブルの内、参照すべき第２制御値参照テーブルを選択して第２制御値を決定することを特徴とする、請求項７に記載の利得制御回路。
【請求項１１】
前記第２制御値参照テーブルに格納されている第２制御値には、複数の値の時間変化量が対応付けられた第２制御値が含まれることを特徴とする、請求項７に記載の利得制御回路。
【請求項１２】
前記第１制御値決定部は、前記出力信号の信号レベルを算出する信号レベル算出部を含むことを特徴とする、請求項１に記載の利得制御回路。
【請求項１３】
前記信号レベル算出部は、前記出力信号の振幅値に関する時間平均値を信号レベルとして出力することを特徴とする、請求項１２に記載の利得制御回路。
【請求項１４】
前記信号レベル算出部は、前記出力信号の電力値を信号レベルとして出力することを特徴とする、請求項１２に記載の利得制御回路。
【請求項１５】
前記信号レベル算出部は、前記出力信号の電力に関する時間平均値を信号レベルとして出力することを特徴とする、請求項１２に記載の利得制御回路。
【請求項１６】
前記信号レベル算出部は、前記出力信号の直流成分を抑圧するハイパスフィルタを含むことを特徴とする、請求項１２記載の利得制御回路。
【請求項１７】
入力信号の利得を制御する利得制御回路において用いられる記憶媒体であって、
前記利得制御回路によって利得が制御された出力信号の信号レベルを記憶する信号レベル記憶領域と、
信号レベルに応じて値が変化する第１制御値を、前記信号レベル記憶領域に記憶されている信号レベルと対応付けて記憶する第１制御値記憶領域とを備え、
前記第１制御値は、前記利得制御回路における利得の大きさを決定するための利得制御値を算出するために用いられることを特徴とする、記憶媒体。
【請求項１８】
前記利得制御回路によって利得制御された出力信号の信号レベルに関する時間変化量である信号レベル変化量を記憶する信号レベル変化量記憶領域と、
前記信号レベル変化量に応じて値が変化する第２制御値を、前記信号レベル変化量記憶領域に記憶されている前記信号レベル変化量と対応付けて記憶する第２制御値記憶領域とをさらに備え、
前記第２制御値は、前記利得制御回路における利得の大きさを決定するための利得制御値を算出するために用いられることを特徴とする、請求項１７に記載の記憶媒体。
【請求項１９】
入力信号の利得を制御する利得制御方法であって、
利得の大きさを決定するための利得制御値に基づいて、入力信号を利得制御して出力信号を生成する利得制御ステップと、
前期出力信号の信号レベルと当該信号レベルの大きさに応じて値が変化する第１制御値とを対応付けた第１制御値参照テーブルを参照して、前記信号レベル算出ステップにおいて算出された信号レベルから第１制御値を決定する第１制御値決定ステップと、
前記第１制御値決定ステップにおいて決定された第１制御値に基づいて、前記利得制御値を算出する利得制御値算出ステップとを備えることを特徴とする、利得制御方法。
【請求項２０】
出力信号の信号レベルの時間変化量を算出して信号レベル変化量を算出する信号レベル変化量算出ステップと、
前記信号レベル変化量と当該信号レベル変化量に応じて値が変化する第２制御値とを対応付けた第２制御値参照テーブルを参照して、前記信号レベル変化量から第２制御値を決定する第２制御値決定ステップとをさらに備え、
前記利得制御値算出ステップは、前記第１制御値決定ステップによって決定された第１制御値と、前記第２制御値決定ステップによって決定された第２制御値とに基づいて、利得制御値を算出することを特徴とする、請求項１９に記載の利得制御方法。
【手続補正２】
【補正対象書類名】明細書
【補正対象項目名】０００７
【補正方法】変更
【補正の内容】
【０００７】
【課題を解決するための手段および発明の効果】
第１の発明は、入力信号の利得を制御する利得制御回路であって、
利得の大きさを決定する利得制御値に基づいて、入力信号を利得制御して出力信号を生成する利得制御部と、
出力信号の信号レベルと当該信号レベルに応じて値が変化する第１制御値とを対応付けた第１制御値参照テーブルを参照して、出力信号の信号レベルから第１制御値を決定する第１制御値決定部と、
第１制御値決定部によって決定される第１制御値に基づいて、利得制御値を算出する利得制御値算出部とを備え、
第１制御値参照テーブルは、利得制御の目標値の基準レベルの範囲内に含まれる出力信号の信号レベルについては、利得制御値を変化させない第１制御値を対応付け、基準レベルより低い信号レベルについては、利得制御部における利得を上げるように利得制御値を変化させる第１制御値を対応付け、基準レベルより高い信号レベルについては、利得制御部における利得を下げるように利得制御値を変化させる第１制御値を対応付ける。
【手続補正３】
【補正対象書類名】明細書
【補正対象項目名】０００８
【補正方法】変更
【補正の内容】
【０００８】
上記第１の発明によれば、出力信号のレベルに応じて、第１制御値を第１制御値参照テーブルから選択する。テーブルを用いることによって、信号レベルの大きさに応じて第１制御値が出力されるので、定数を乗算する必要がない。従って、信号レベルから第１制御値を求めるための処理量を小さくすることができるので、応答特性を速くすることができる。さらに、応答特性を速くすることができることから、信号のバースト入力やフェ−ジングにより信号が急激に変化した場合でも、信号レベルを高速に収束させることができる。また、テーブルのみによって第１制御値を求めることができるので、利得制御回路を簡易な構成によって実現することができる。また、応答特性を速くすることができるので、信号の急激な入力や信号が急激に変化した場合にも、信号レベルを基準レベルへと高速に収束させることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
第３の発明は、第１の発明に従属する発明であって、
第１制御値参照テーブルは、出力信号の信号レベルと基準レベルとの差が大きくなるにつれて、増加率が次第に大きくなるように第１制御値を設定する。
【手続補正７】
【補正対象書類名】明細書
【補正対象項目名】００１４
【補正方法】変更
【補正の内容】
【００１４】
上記第３の発明によれば、信号レベルに応じて制御の時定数を適切に変化させることとなるので、より滑らかな制御を行うことができる。
【手続補正８】
【補正対象書類名】明細書
【補正対象項目名】００１５
【補正方法】変更
【補正の内容】
【００１５】
第４の発明は、第１の発明に従属する発明であって、
第１制御値参照テーブルにおける基準レベルには、複数の値の信号レベルが含まれる。
【手続補正９】
【補正対象書類名】明細書
【補正対象項目名】００１６
【補正方法】変更
【補正の内容】
【００１６】
上記第４の発明によれば、基準レベルは所定の幅を有することとなる。ここで、雑音によって信号レベルが小刻みに変動する場合、その変動分に相当する信号レベルを基準レベルとして設定しておくことによって、雑音による制御の変動を抑えることができる。
【手続補正１０】
【補正対象書類名】明細書
【補正対象項目名】００１７
【補正方法】変更
【補正の内容】
【００１７】
第５の発明は、第１の発明に従属する発明であって、
利得制御値算出部は、
第１制御値決定部によって決定された第１制御値を積分する積分部と、
積分部によって得られた積分値の大きさを、所定の演算処理によって調整する感度調整部とを含んでいる。
【手続補正１１】
【補正対象書類名】明細書
【補正対象項目名】００１８
【補正方法】変更
【補正の内容】
【００１８】
上記第５の発明によれば、第１制御値から得られた値を容易に調整することができる。
【手続補正１２】
【補正対象書類名】明細書
【補正対象項目名】００１９
【補正方法】変更
【補正の内容】
【００１９】
第６の発明は、第１の発明に従属する発明であって、
入力信号の形態に応じて変化するテーブル選択信号を生成するテーブル選択部をさらに備え、
第１制御値決定部は、複数の第１制御値参照テーブルを有し、テーブル選択信号に基づいて、複数の第１制御値参照テーブルの内、参照すべき第１制御値参照テーブルを選択して第１制御値を決定する。
【手続補正１３】
【補正対象書類名】明細書
【補正対象項目名】００２０
【補正方法】変更
【補正の内容】
【００２０】
上記第６の発明によれば、入力信号の形態に応じて、参照される第１制御値参照テーブルが選択される。これによって、入力信号の形態に応じた第１制御値が決定され、入力信号の形態に応じた利得制御を行うことができる。従って、テーブルを用いるという簡易な構成で、様々な形態の入力信号に対して、高速に基準レベルに収束させることができる。ここで、信号の形態とは、信号の伝送速度および変調方式を含む概念である。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
第７の発明は、第１の発明に従属する発明であって、
出力信号の信号レベルの時間変化量を算出して信号レベル変化量を出力する信号レベル変化量算出部と、
信号レベル変化量と当該信号レベル変化量の大きさに応じて値が変化する第２制御値とを対応付けた第２制御値参照テーブルを参照して、信号レベル変化量から第２制御値を決定する第２制御値決定部とをさらに備え、
利得制御値算出部は、第１制御値決定部によって決定される第１制御値と、第２制御値決定部によって決定される第２制御値とに基づいて、利得制御値を算出する。
【手続補正１７】
【補正対象書類名】明細書
【補正対象項目名】００２４
【補正方法】変更
【補正の内容】
【００２４】
上記第７の発明によれば、参照テーブルを用いることによって、信号レベルの時間変化量に応じて第２制御値を出力する。かかる第２制御値を導入することによって、制御をさらに高速化することができる。また、信号レベルから第２制御値を求めるための処理量は小さいので、応答特性が速い。以上より、簡易な構成で、信号レベルをより高速に収束させることができる。
【手続補正１８】
【補正対象書類名】明細書
【補正対象項目名】００２５
【補正方法】変更
【補正の内容】
【００２５】
第８の発明は、第７の発明に従属する発明であって、
第１制御値決定部によって決定される第１制御値と、第２制御値決定部によって決定される第２制御値とを合算して制御値を算出する制御値算出部をさらに備え、
利得制御値算出部は、制御値算出部によって算出された制御値を積分して利得制御値を算出する。
【手続補正１９】
【補正対象書類名】明細書
【補正対象項目名】００２６
【補正方法】変更
【補正の内容】
【００２６】
上記第８の発明によれば、第１制御値と第２制御値を合算した制御値を積分することにより、適切な利得制御値を算出することができる。
【手続補正２０】
【補正対象書類名】明細書
【補正対象項目名】００２７
【補正方法】変更
【補正の内容】
【００２７】
第９の発明は、第８の発明に従属する発明であって、
第２制御値決定部は、信号レベル算出部によって算出される信号レベルが、利得制御の目標値となる基準レベルから所定の範囲内にある場合であって、かつ、信号レベル変化量算出部によって算出される時間変化量が負である場合、第２制御値を０に決定する。
【手続補正２１】
【補正対象書類名】明細書
【補正対象項目名】００２８
【補正方法】変更
【補正の内容】
【００２８】
上記第９の発明によれば、基準レベルに近い制御状態にある場合で、かつ、信号レベル変化量が減少している場合には、第２制御値が参照されず、第１制御値のみを用いて制御が行われることとなる。ここで、基準レベルに近い制御状態にある場合で、かつ、信号レベル変化量が減少している場合には、第２制御値を用いることによってかえって収束が遅くなってしまう。そのため、第１１の発明では、かかる場合に第２制御値を用いないことにより、信号レベルを基準レベルにより速く収束させることができる。
【手続補正２２】
【補正対象書類名】明細書
【補正対象項目名】００２９
【補正方法】変更
【補正の内容】
【００２９】
第１０の発明は、第７の発明に従属する発明であって、
入力信号の形態に応じて変化するテーブル選択信号を生成するテーブル選択部をさらに備え、
第２制御値決定部は、
複数の第２制御値参照テーブルを有し、
テーブル選択信号に基づいて、複数の第２制御値参照テーブルの内、参照すべき第２制御値参照テーブルを選択して第２制御値を決定する。
【手続補正２３】
【補正対象書類名】明細書
【補正対象項目名】００３０
【補正方法】変更
【補正の内容】
【００３０】
上記第１０の発明によれば、入力信号の形態に応じて、参照される第２制御値参照テーブルが選択される。これによって、入力信号の形態に応じた第２制御値が決定され、入力信号の形態に応じた利得制御を行うことができる。
【手続補正２４】
【補正対象書類名】明細書
【補正対象項目名】００３１
【補正方法】変更
【補正の内容】
【００３１】
第１１の発明は、第７の発明に従属する発明であって、
第２制御値参照テーブルに格納されている第２制御値には、複数の値の時間変化量が対応付けられた第２制御値が含まれる。
【手続補正２５】
【補正対象書類名】明細書
【補正対象項目名】００３２
【補正方法】変更
【補正の内容】
【００３２】
上記第１１の発明によれば、第２制御値参照テーブルにおいて、信号レベルがとり得る値の数だけアドレスを用意する必要がない。従って、第２制御値参照テーブルの大きさを小さくすることができる。
【手続補正２６】
【補正対象書類名】明細書
【補正対象項目名】００３３
【補正方法】変更
【補正の内容】
【００３３】
第１２の発明は、第１の発明に従属する発明であって、
第１制御値決定部は、出力信号の信号レベルを算出する信号レベル算出部を含んでいる。
【手続補正２７】
【補正対象書類名】明細書
【補正対象項目名】００３４
【補正方法】変更
【補正の内容】
【００３４】
上記第１２の発明によれば、出力信号の信号レベルは、出力信号である複数の信号から算出される。例えばＩ信号およびＱ信号や、差動信号のように、出力信号が２つの信号から構成される場合、出力信号をそのまま用いて信号レベルとすることができない。すなわち、かかる場合、出力信号の信号レベルと第１制御値とを１対１に対応付けることができない。それゆえ、第１制御値を決定するためにテーブルを用いることができない。ここで、第１４の発明によれば、かかる場合であっても、２つのデジタル信号から出力信号の信号レベルを算出するので、出力信号の信号レベルと第１制御値とを１対１に対応付けることができる。従って、テーブルを用いて出力信号の信号レベルから第１制御値を得ることができる。
【手続補正２８】
【補正対象書類名】明細書
【補正対象項目名】００３５
【補正方法】変更
【補正の内容】
【００３５】
第１３の発明は、第１２の発明に従属する発明であって、
信号レベル算出部は、出力信号の振幅値に関する時間平均値を信号レベルとして出力する。
【手続補正２９】
【補正対象書類名】明細書
【補正対象項目名】００３６
【補正方法】変更
【補正の内容】
【００３６】
上記第１３の発明によれば、出力信号の信号レベルとして振幅の時間平均値を用いることにより、雑音の影響を抑え、より安定した制御を行うことができる。
【手続補正３０】
【補正対象書類名】明細書
【補正対象項目名】００３７
【補正方法】変更
【補正の内容】
【００３７】
第１４の発明は、第１２の発明に従属する発明であって、
信号レベル算出部は、出力信号の電力値を信号レベルとして出力する。
【手続補正３１】
【補正対象書類名】明細書
【補正対象項目名】００３８
【補正方法】変更
【補正の内容】
【００３８】
上記第１４の発明によれば、出力信号の信号レベルとして電力値を用いることで、安定した制御を行うことができる。
【手続補正３２】
【補正対象書類名】明細書
【補正対象項目名】００３９
【補正方法】変更
【補正の内容】
【００３９】
第１５の発明は、第１２の発明に従属する発明であって、
信号レベル算出部は、出力信号の電力に関する時間平均値を信号レベルとして出力する。
【手続補正３３】
【補正対象書類名】明細書
【補正対象項目名】００４０
【補正方法】変更
【補正の内容】
【００４０】
上記第１５の発明によれば、出力信号の信号レベルとして電力値の時間平均値を用いることで、雑音の影響を抑え、より安定した制御を行うことができる。
【手続補正３４】
【補正対象書類名】明細書
【補正対象項目名】００４１
【補正方法】変更
【補正の内容】
【００４１】
第１６の発明は、第１２の発明に従属する発明であって、
信号レベル算出部は、出力信号の直流成分を抑圧するハイパスフィルタを含んでいる。
【手続補正３５】
【補正対象書類名】明細書
【補正対象項目名】００４２
【補正方法】変更
【補正の内容】
【００４２】
上記第１６の発明によれば、本利得制御回路が用いられる受信機内部において入力信号に混入する直流成分をハイパスフィルタによって抑圧する。従って、入力信号に対して安定に利得制御を行うことができる。
【手続補正３６】
【補正対象書類名】明細書
【補正対象項目名】００４３
【補正方法】変更
【補正の内容】
【００４３】
第１７の発明は、入力信号の利得を制御する利得制御回路において用いられる記憶媒体であって、
利得制御回路によって利得が制御された信号の信号レベルを記憶する信号レベル記憶領域と、
信号レベルの大きさに応じて値が変化する第１制御値を、信号レベル記憶領域に記憶されている信号レベルと対応付けて記憶する第１制御値記憶領域とを備え、
第１制御値は、利得制御回路における利得の大きさを決定するための利得制御値を算出するために用いられることを特徴とする。
【手続補正３７】
【補正対象書類名】明細書
【補正対象項目名】００４４
【補正方法】変更
【補正の内容】
【００４４】
第１８の発明は、第１７の発明に従属する発明であって、
利得制御回路によって利得制御された出力信号の信号レベルに関する時間変化量である信号レベル変化量を記憶する信号レベル変化量記憶領域と、
信号レベル変化量に応じて値が変化する第２制御値を、信号レベル変化量記憶領域に記憶されている信号レベル変化量と対応付けて記憶する第２制御値記憶領域とをさらに備え、
第２制御値は、利得制御回路における利得の大きさを決定するための利得制御値を算出するために用いられることを特徴とする。
【手続補正３８】
【補正対象書類名】明細書
【補正対象項目名】００４５
【補正方法】変更
【補正の内容】
【００４５】
第１９の発明は、入力信号の利得を制御する利得制御方法であって、
利得の大きさを決定するための利得制御値に基づいて、入力信号を利得制御して出力信号を生成する利得制御ステップと、
前期出力信号の信号レベルと当該信号レベルの大きさに応じて値が変化する第１制御値とを対応付けた第１制御値参照テーブルを参照して、信号レベル算出ステップにおいて算出された信号レベルから第１制御値を決定する第１制御値決定ステップと、
第１制御値決定ステップにおいて決定された第１制御値に基づいて、利得制御値を算出する利得制御値算出ステップとを備えている。
また、第２０の発明は、第１９の発明に従属する発明であって、
出力信号の信号レベルの時間変化量を算出して信号レベル変化量を算出する信号レベル変化量算出ステップと、
信号レベル変化量と当該信号レベル変化量に応じて値が変化する第２制御値とを対応付けた第２制御値参照テーブルを参照して、信号レベル変化量から第２制御値を決定する第２制御値決定ステップとをさらに備え、
利得制御値算出ステップは、第１制御値決定ステップによって決定された第１制御値と、第２制御値決定ステップによって決定された第２制御値とに基づいて、利得制御値を算出する。
【手続補正３９】
【補正対象書類名】明細書
【補正対象項目名】００７９
【補正方法】変更
【補正の内容】
【００７９】
次に、第２制御値参照テーブルの設定方法について詳細に述べる。図１５は、第２の実施形態に係る利得制御回路における第２制御値参照テーブルの構成を示す図である。第２制御値参照テーブルは、信号レベル変化量と第２制御値とを対応付けて格納する。本実施形態では、信号レベル変化量がとり得るすべての値域について、３つの第２制御値の内いずれかが設定される。